(57)【要約】【課題】この発明は、多様な観察形態を実現したうえで、先端部の細径化を図り得るようにして、挿入操作性の向上を図り得るようにすることにある。【解決手段】先端部１５の先端カバー２４の先端表面を、中心軸Ｏと交差する軸Ｙ方向の一方方向に偏倚させて径大に形成して、この偏倚する方向に送気送水ノズル６０、二つの観察レンズ３１ａ，３１ｂを順に直線状に配し、一つの送気送水ノズル６０で観察レンズ３１ａ，３１ｂの双方の洗浄を行うように構成した。【選択図】      図２
2007209395.tif 000002
【特許請求の範囲】
【請求項１】
先端部が径方向に偏倚されて一部が径大に形成された挿入部と、
前記先端部の先端表面に設けられ、径大に形成された方向に向けて流体を噴射する噴出口が配置されたノズル手段と、
前記ノズル手段の噴出口の噴射軌道上に並設して配置された第１及び第２の観察光学系と、
を具備することを特徴とする内視鏡。
【請求項２】
先端部が径方向に偏倚されて一部が径大に形成された挿入部と、
前記先端部の先端表面に設けられ、径大に形成された方向と平行な方向に向けて流体を噴射する噴出口が配置されたノズル手段と、
前記ノズル手段の噴出口の噴射軌道上に並設して配置された第１及び第２の観察光学系と、
を具備することを特徴とする内視鏡。
【請求項３】
前記挿入部の先端表面は、略楕円形状に形成されることを特徴とする請求項１又は２記載の内視鏡。
【請求項４】
前記第１及び第２の観察光学系は、異なる倍率の対物光学系を備えることを特徴とする請求項１乃至３のいずれか記載の内視鏡。
【請求項５】
前記第１及び第２の観察光学系は、一方が通常光観察に供され、他方が特殊光観察に供されることを特徴とする請求項１乃至４のいずれか記載の内視鏡。
【請求項６】
前記特殊光観察は、蛍光観察であることを特徴とする請求項５記載の内視鏡。
【発明の詳細な説明】
【技術分野】
【０００１】
この発明は、少なくとも２つの観察光学系を有する内視鏡に関する。
【背景技術】
【０００２】
周知のように、内視鏡は、医療分野等で広く利用されている。このような内視鏡は、例えば、体腔内に細長い挿入部を挿入することによって、体腔内の臓器等を観察したり、必要に応じて処置具挿通チャンネル内に挿入した処置具を用いて各種処置に供されている。この挿入部には、その先端部に湾曲部が設けられ、操作部の操作により、先端部の湾曲部が上下、左右方向に湾曲変形されて、先端部の観察窓の観察方向を変更させることが可能に構成されている。
【０００３】
そして、この内視鏡の観察光学系の先端表面は、体腔内に挿入された際に、体液等が付着して観察の妨げになる場合があるため、洗滌用の送気送水ノズルが設けられ、この送気送水ノズルから洗浄液及び空気を順に吹き付けて洗浄することにより、清浄な観察視野を確保できるように構成されている。
【０００４】
また、内視鏡には、各種鉗子を挿通したり、体腔内の体液、汚物などを吸引したりする管路（以下、処置具・吸引用チャンネルという）と、被検部位である患部に付着する粘膜などを洗浄するために、患部方向へ洗浄液を吹き付けるための管路（以下、前方送水チャンネルという）が設けられている。これら処置具・吸引用チャンネル及び前方送水チャンネルの各開口部は、先端表面に配設されている。
【０００５】
ところで、このような内視鏡においては、２台のＣＣＤカメラに対してそれぞれ送気・送水口を同距離の位置に配すると共に、２台のＣＣＤカメラから等距離の位置に一つの鉗子口を配するように構成して、観察形態の多様化を図るように構成したものも提案されている（例えば、特許文献１参照。）。
【０００６】
ところが、上記内視鏡では、２台のＣＣＤカメラに対してそれぞれ送気・送水口を配して、この２台のＣＣＤカメラから等距離の位置に一つの鉗子口を配している構成上、内蔵する部品点数が多くなるために、強く要請されている細径化が困難であるという問題を有する。
【０００７】
そこで、複数、例えば二つの撮像ユニットを有し、観察光学系としての複数、例えば二つの対物光学系と送気送水ノズルの開口とが略直線状に並ぶように、挿入部の先端表面に配置した内視鏡も提案されている（例えば、特許文献２参照。）。この内視鏡は、並設した二つの対物光学系の一方側に対して一つの送気送水ノズルを直線状に配して、この一つの送気送水ノズルを用いて二つの対物光学系に対して洗浄液、空気等の流体を吹き付けて洗浄していることにより、送気送水ノズルの共通化により内蔵物の軽減を図ったうえで、二つの対物光学系に対する洗浄を可能とする噴射力を得るように構成される。
【特許文献１】特開平０６−１５４１５５号公報
【特許文献２】特開２０００−２６２４６３号公報
【発明の開示】
【発明が解決しようとする課題】
【０００８】
しかしながら、上記内視鏡では、並設した二つの対物光学系に対して一つの送気送水ノズルを直線状に配する構成上、その直線状の配置スペースに基づいて挿入部における先端部の外径が決定されるために、良好な挿入操作に適するまでの細径化を図るのが困難であるという問題を有する。
【０００９】
この発明は、上記の事情に鑑みてなされたもので、多様な観察形態を実現したうえで、先端部の細径化を図り得るようにして、挿入操作性の向上を図った内視鏡を提供することを目的とする。
【課題を解決するための手段】
【００１０】
この発明は、先端部が径方向に偏倚されて一部が径大に形成された挿入部と、前記先端部の先端表面に設けられ、径大に形成された方向に向けて流体を噴射する噴出口が配置されたノズル手段と、前記ノズル手段の噴出口の噴射軌道上に並設して配置された第１及び第２の観察光学系とを備えて内視鏡を構成した。
【００１１】
また、この発明は、先端部が径方向に偏倚されて一部が径大に形成された挿入部と、前記先端部の先端表面に設けられ、径大に形成された方向と平行な方向に向けて流体を噴射する噴出口が配置されたノズル手段と、前記ノズル手段の噴出口の噴射軌道上に並設して配置された第１及び第２の観察光学系とを備えて内視鏡を構成した。
【００１２】
上記構成によれば、挿入部は、先端部が径方向に偏倚されて一部が径大に形成され、この先端部における径大方向にノズル手段、第１及び第２の観察光学系を並設して配置していることにより、先端部の基部径を体腔への挿入に適する形状に保つことができる。従って、多様な観察形態を実現したうえで、体腔への簡便にして容易な挿入操作を実現することが可能となる。
【発明の効果】
【００１３】
以上述べたように、この発明によれば、多様な観察形態を実現したうえで、先端部の細径化を図り得るようにして、挿入操作性の向上を図った内視鏡を提供することができる。
【発明を実施するための最良の形態】
【００１４】
以下、この発明の実施の形態について、図面を参照して詳細に説明する。
【００１５】
図１は、この発明の一実施の形態の適用される内視鏡システム１の構成を示すもので、例えば通常光観察及び特殊光観察である蛍光観察が可能に構成される内視鏡２を備える。この内視鏡２には、照明光の供給を受ける光源装置３と、取得した画像情報を信号処理して映像信号を生成するための信号処理装置であるプロセッサ４と、このプロセッサ４で生成した映像信号に基づく通常観察用又は蛍光観察用の各内視鏡画像を表示するためのモニタ５と、送気送水の供給を受けるための送気送水装置６とが組み合わせられる。
【００１６】
上記内視鏡２は、体腔内に挿入し易いように細長な挿入部１１と、この挿入部１１の基端に連結される操作部１２と、この操作部１２の側部から延出するユニバーサルケーブル１３とを有している。このユニバーサルケーブル１３の端部に設けられたコネクタ１４は、光源装置３に着脱自在に接続される。
【００１７】
また、内視鏡２の挿入部１１は、内視鏡用挿入部としての構成を有し、その先端に形成される硬質の先端部１５と、この先端部１５の基端に形成される湾曲部１６と、この湾曲部１６の基端から操作部１２まで形成される可撓性を備えた可撓管部１７と、を有して構成されている。
【００１８】
この挿入部１１内には、照明光を伝送するライトガイド２１が挿通されている。このライトガイド２１は、上記操作部１２を介してユニバーサルケーブル１３内に挿通され、その基端部２２がコネクタ１４から突出する図示しないライトガイドコネクタに接続されている。そして、このライトガイド２１の先端部分は、上記先端部１５内において固定されている。
【００１９】
先端部１５の先端（表面）部分には、照明光学系である後述する照明ユニットの一対の照明レンズ２５ａ，２５ｂ（図２参照）が配設され、ライトガイド２１から照明レンズ２５ａ，２５ｂを介して照明光が出射される。また、先端部１５の先端面には、先端カバー２４が設けられている。このライトガイド２１は、例えば操作部１２内で分岐され、挿入部１１において２本に分割され、挿通されている。そして、２本に分割された各ライトガイド２１の先端面は、先端カバー２４に設けられた２つの照明レンズ２５ａ，２５ｂの背面近傍にそれぞれ配置される。
【００２０】
また、挿入部１１内には、例えば、医療器具としての鉗子等の処置具を挿通可能とする程度の内周長を有する吸引管路を兼用する管路である、第１の管路として処置具・吸引用チャンネル（鉗子チャンネルともいう）１９が設けられる。そして、この処置具・吸引用チャンネル１９の先端は、上記先端カバー２４の先端面に設けられる開口部２６に連通される。
【００２１】
処置具・吸引用チャンネル１９は、挿入部１１の基端側において分岐され、一方が操作部１２に配設される処置具挿入口１９１まで挿通される。そして、処置具・吸引用チャンネル１９の他方は、挿入部１１及びユニバーサルケーブル１３内を通ってその基端がコネクタ１４を介して、吸引手段である吸引装置７に接続される。この吸引装置７は、例えば上記操作部１２に配される図示しない吸引ボタンの操作に連動して駆動制御される。
【００２２】
上記先端部１５の内部には、複数、例えば２つの撮像ユニット３１Ａ，３１Ｂが内装されている（図３参照）。このうち撮像ユニット３１Ａは、通常光撮像ユニットと称され通常光観察に供される。他方の撮像ユニット３１Ｂは、蛍光撮像ユニットと称され特殊光観察である蛍光観察に供される。
【００２３】
撮像ユニット３１Ａ及び撮像ユニット３１Ｂには、信号ケーブル３８ａ，３８ｂの一端がそれぞれ接続されている。これら信号ケーブル３８ａ，３８ｂの他端は、操作部１２及びユニバーサルケーブル１３内に挿通しており、コネクタ１４内に設けられるリレー基板４２において、共通の信号ケーブル４３と切換え可能に接続されている。そして、この共通の信号ケーブル４３は、コネクタ１４に接続されるスコープケーブル４４内を通ってプロセッサ４に接続される。
【００２４】
プロセッサ４内には、通常光撮像ユニット３１Ａ及び蛍光撮像ユニット３１Ｂの撮像素子をそれぞれ駆動するドライブ回路４５ａ，４５ｂと、リレー基板４２を介して上記２つの撮像素子からそれぞれ出力される撮像信号に対して信号処理を行う信号処理回路４６と、信号処理回路４６等の動作状態を制御する制御回路４７とが設けられている。
【００２５】
また、内視鏡２の操作部１２には、制御スイッチ４８ａ，４８ｂと、送気送水ボタン６３と、図示しない湾曲操作ノブと、通常光撮像ユニット３１Ａのテレ／ズーム操作を行う図示しないスイッチ（テレ／ズーム用ボタンともいう）と、上述の処置具挿入口１９１が設けられている。
【００２６】
これら制御スイッチ４８ａ，４８ｂは、それぞれ信号線４９ａ，４９ｂを介して上記プロセッサ４の制御回路４７に接続される。このうち例えば制御スイッチ４８ａは、切換を指示する信号を発生する。他方の制御スイッチ４８ｂは、例えばフリーズ指示の信号を発生する。
【００２７】
上記リレー基板４２は、例えば制御スイッチ４８ａの操作に応じて、各撮像素子にそれぞれ接続された信号ケーブル３８ａ，３８ｂのうちの一方を共通の信号ケーブル４３と接続された状態から信号ケーブル３８ａ，３８ｂの他方が上記信号ケーブル４３と接続されるように切換動作を行う。
【００２８】
具体的には、制御スイッチ４８ａが操作されることにより、スコープケーブル４４内に挿通され、制御回路４７に電気的に接続された切換信号線４９ｃを介して、リレー基板４２に切換信号が出力される。この切換信号線４９ｃが接続されるリレー基板４２は、制御回路４７からの信号の入力端が通常において、Ｌ（ＬＯＷ）レベルの状態となっており、切換制御端子をプルダウンして、通常光撮像ユニット３１Ａの信号ケーブル３８ａが共通の信号ケーブル４３と接続される。また、起動開始状態で、上記切換制御端子は、Ｌレベルとなるようにしている。つまり、切り換え指示の操作が行われないと、通常光観察状態に設定されている。
【００２９】
この状態において、ユーザーが、制御スイッチ４８ａを操作すると、制御回路４７からの信号が切換信号線４９ｃを介してリレー基板４２の入力端にＨ（ＨＩＧＨ）レベルとなる制御信号が印加され、切換制御端子をプルアップして、蛍光撮像ユニット３１Ｂの信号ケーブル３８ｂが共通の信号ケーブル４３と接続される。
【００３０】
さらに、制御スイッチ４８ａを操作すると、切換制御端子にＬレベルの信号が供給されて、通常光撮像ユニット３１Ａの信号ケーブル３８ａが共通の信号ケーブル４３と接続される。
【００３１】
また、制御スイッチ４８ａの操作に伴い、制御回路４７は、光源装置３内の制御回路５８にも、スコープケーブル４４内の制御信号線４９ｄを介して制御信号を出力する。すると、制御回路５８は、その制御信号に応動して通常観察光又は蛍光観察用の励起光を発生する状態に制御する。同時に、制御回路４７は、信号処理回路４６の動作状態を通常光撮像ユニット３１Ａ及び蛍光撮像ユニット３１Ｂの各撮像素子に対応して動作を行うように制御する。
【００３２】
上記光源装置３は、励起光の波長を含む白色光を発生するランプ５１と、このランプ５１の光を平行な光束にするコリメータレンズ５２と、このコリメータレンズ５２の光路中に配置され、例えば可視光波長帯域（３８０ｎｍ〜７８０ｎｍ）におけるＲ（ＲＥＤ），Ｇ（ＧＲＥＥＮ），Ｂ（ＢＬＵＥ）の波長帯域の光をそれぞれ通すＲＧＢフィルタを周方向に設けた回転フィルタ５３と、この回転フィルタ５３の透過光を集光してライトガイド２１の基端部２２に出射する集光レンズ５４とを備える。
【００３３】
このうちＲＧＢフィルタが設けられた回転フィルタ５３には、周方向の外側に、可視光の波長帯域より短波長の波長帯域の励起光を通す励起光用フィルタが設けられている。そして、この回転フィルタ５３は、モータ５５により回転駆動される。このモータ５５は、ラック５６に取り付けられ、このラック５６に噛合するギヤ付きモータ５７により、矢印で示すように照明光軸と直交する方向に移動される。
【００３４】
このギヤ付きモータ５７は、上記制御回路５８により制御される。この制御回路５８は、制御信号線４９ｄを介してプロセッサ４の制御回路４７と接続され、制御スイッチ４８ａの操作により、対応する制御動作を行う。
【００３５】
また、上記先端部１５には、詳細を後述するように先端カバー２４に配置された通常光撮像ユニット３１Ａ及び蛍光撮像ユニット３１Ｂの各対物レンズ（後に、観察レンズということもある）の外表面に、その噴出口６０ａが向くようにしてノズル手段である送気送水ノズル６０が、通常光撮像ユニット３１Ａ及び蛍光撮像ユニット３１Ｂの各対物レンズに対して略直線状に配置されている。
【００３６】
この送気送水ノズル６０は、例えば後述するように、その先端側が合流して１つになっている送気送水管路６１に接続され、送気送水管路６１の基端側が送気管路６１ａと送水管路６１ｂに分岐している。この送気送水ノズル６０に連通する送気管路６１ａ及び送水管路６１ｂは、ユニバーサルケーブル１３のコネクタ１４まで挿通されており、空気等の気体又は洗浄液等の液体を含む流体を送り込む図示しないポンプを内蔵した送気送水装置６に接続される。
【００３７】
また、送気管路６１ａ及び送水管路６１ｂは、その中途となる操作部１２において、上述した送気送水ボタン６３が介装されており、この送気送水ボタン６３が操作されることにより、流体の送気及び送水が行われる。これにより、送気送水ノズル６０は、流体を噴射方向に配置された通常光撮像ユニット３１Ａ及び蛍光撮像ユニット３１Ｂの各対物レンズの外表面に吹き付けて、体液、付着物等を除去及び洗浄して、清浄な状態での撮像及び観察視野を確保する。
【００３８】
次に、上記先端部１５に配される先端カバー２４について説明する。  
この先端カバー２４には、図２に示すように上記通常光撮像ユニット３１Ａの第１の観察光学系を構成する、観察レンズ３１ａと、上記蛍光撮像ユニット３１Ｂの第２の観察光学系を構成する、観察レンズ３１ｂと、上記２つの照明レンズ２５ａ，２５ｂと、処置・吸引兼用チャンネルの開口部２６と、送気送水ノズル６０が配置される。
【００３９】
即ち、先端カバー２４は、例えば先端表面が先端部１５の中心軸Ｏと交差する軸方向の一方方向に偏倚して径大に形成され、その先端表面の偏倚する軸Ｙ上（偏倚されない第１の周縁である周縁部位と、中心軸Ｏと、偏倚された第２の周縁である周縁部位とを結ぶ軸上）に上記送気送水ノズル６０が、噴出口６０ａを向けて配置される。そして、この送気送水ノズル６０の噴出口６０ａの噴射軌道上には、上記観察レンズ３１ａ、観察レンズ３１ｂが順に所定の間隔を有して略直線状に配置される。これにより、先端カバー２４は、先端部１５に対する径寸法を最小限に保ったうえで、多様な観察形態を可能とする、二つの観察レンズ３１ａ、３１ｂと、これら二つの観察レンズ３１ａ、３１ｂの双方の洗浄に供する、送気送水ノズル６０とを直線状に配置することが可能となる。
【００４０】
また、先端カバー２４の先端表面には、上記照明レンズ２５ａ，２５ｂが、観察レンズ３１ａ，３１ｂ、送気送水ノズル６０の配列方向に対して交差する軸上であって、観察レンズ３１ａを挟んで配置される。
【００４１】
さらに、上記先端カバー２４の先端表面には、上記開口部２６が、上記先端カバー２４の観察レンズ３１ａ，３１ｂと、照明レンズ２５ａで囲まれた領域に配置される。この開口部２６は、上記処置具・吸引用チャンネル１９を経由して上記吸引装置７に連通され、該吸引装置７が上記操作部１２の吸引ボタンの操作に連動して駆動されると、上記処置具・吸引用チャンネル１９を通して吸引力が得られる。これにより、上述したように送気送水ノズル６０の噴出口６０ａから観察レンズ３１ａ，３１ｂの双方に所望の噴射力で吹き付けられて洗浄に供した流体の残水は、開口部２６から上記処置具・吸引用チャンネル１９を通して吸引装置２６に吸引される。
【００４２】
次に、上記内視鏡２の挿入部１１の先端部分の内部構成について図３及び図４を参照して説明する。
【００４３】
即ち、図３は、図２の軸Ｙ上で断面したＡ−Ａ断面を示し、図４は、図１の送気送水管路の分岐部分を断面して示すもので、上記挿入部１１の先端部１５の基端には、上記周知の湾曲部１６が設けられる。この湾曲部１６は、例えば内周面に４つのワイヤガイドの設けられた図示しない円環状の複数の湾曲駒が回動自在に連設されている。この複数の湾曲駒は、その４つのワイヤガイドが、挿入軸周りにそれぞれが略９０°ずらされた状態で連設されて形成され、その外周を覆うように細線のワイヤなどを筒状に編み込んだ図示しない湾曲ブレードが被せられて、その上に水密を保つように外皮１０が被せられて上記湾曲部１６が形成される。この外皮１０は、上記湾曲部１６と共に、上記先端部１５及び可撓管部１７に亘る挿入部１１の全長に渡って一体となるように被着されて、その先端外周部分が先端部１５において、糸巻き接着部１０ａにより固着される。
【００４４】
上記湾曲部１６の上記湾曲駒（図示せず）のワイヤガイドには、それぞれ図示しない湾曲操作ワイヤが挿着され、この各湾曲操作ワイヤが上記挿入部１１内に挿通される。これら４本の湾曲操作ワイヤは、先端部分が先端部１５内に設けられた図示しない固定環によりそれぞれ、挿入軸周りに略９０°にずらされて湾曲部１６の挿入軸が略直線となっている状態において保持固定され、その基端部分が、上記操作部１２（図１参照）内に設けられ、図示しない湾曲操作ノブに連結されている湾曲操作機構に交互に牽引又は弛緩可能に連結されている。
【００４５】
これにより、湾曲部１６は、上記４本の湾曲操作ワイヤが上記湾曲操作ノブの操作によってそれぞれ、牽引・弛緩されることによって、その上記湾曲駒が４方向へ湾曲操作される。これら４方向とは、例えば後述するように、各撮像ユニット３１Ａ，３１Ｂにより撮影されたモニタ５に表示される内視鏡画像の上下左右の４方向に対応される。
【００４６】
また、上記先端部１５内には、硬質な金属からなり、複数、例えば６つの孔部が形成された円柱部材１５ａと、この円柱部材１５ａの基端側外周部を外嵌する円環状の補強環１５ｂが配設されている（図４参照）。先端部１５には、補強環１５ｂが設けられ、この補強環１５ｂの基端部には、上記湾曲部１６の最先端の湾曲駒が連結される。
【００４７】
上記先端部１５内の円柱部材１５ａに形成された６つの孔部のうち、１つの孔部が処置具・吸引用チャンネル１９の先端部分を形成し、残りの５つの孔部には、上述した通常光撮像ユニット３１Ａ、蛍光撮像ユニット３１Ｂ及び送気送水ノズル６０と、後述する２つの照明レンズユニット２３，２３がそれぞれ配置される（図２参照）。
【００４８】
上記円柱部材１５ａの６つの孔部のうち、１つの孔部は、例えば、ビス、接着剤などの第１の観察光学系固定手段によって固定される観察レンズ３１ａを含む通常光観察ユニット３１Ａが配置される第１の観察光学系配置手段を構成し、他の１つの孔部は、例えば、ビス、接着剤などの第２の観察光学系固定手段によって固定される第２の観察光学系を構成する観察レンズ３１ｂを含む蛍光観察ユニット３１Ｂが配置される第２の観察光学系配置手段を構成している。そして、第１及び第２の照明光学系である各照明レンズ２５をそれぞれ備えた２つの照明レンズユニットが例えば、ビス、接着剤などの第１及び第２の照明光学系固定手段によりそれぞれ固定配置される他の２つの孔部は、一方が第１の照明光学配置手段であって、他方が第２の照明光学配置手段を構成している。
【００４９】
また、上記６つの孔部のうち、送気送水手段が配置される孔部は、例えば、ビス、接着剤などの第１の送気送水固定手段によって送気送水ノズル６０を固定配置する送気送水配置手段を構成している（図２参照）。さらに、上記６つの孔部のうち、第１の内視鏡管路である処置具・吸引用チャンネル１９が配置される孔部は、第１の内視鏡管路配置手段を構成している。この処置具・吸引用チャンネル１９は、例えば、ビス、接着剤などの第１の内視鏡管路固定手段により、上記６つの孔部のうちの１つの孔部に固定配置される。
【００５０】
処置具・吸引用チャンネル１９は、先端部１５の先端面に設けられた先端カバー２４において開口している開口部２６と、先端部１５の円柱部材１５ａの孔部に挿嵌される略円筒状の管部材１９ａと、先端部分が管部材１９ａの基端部分を覆い、糸巻きにより接続固定されている柔軟なチューブからなる処置具管路１９ｂとを有して構成されている。この処置具管路１９ｂは、その基端が操作部１２において、上記処置具挿入口１９１（図１参照）に連通されている。
【００５１】
上記送気送水ノズル６０は、略Ｌ字形状に曲げられた管状部材であって、先端側の噴出口６０ａが各観察レンズ３１ａ，３１ｂの外表面側に向くように、基端部分が先端部１５の円柱部材１５ａの孔部に挿嵌されている。言い換えると、観察レンズ３１ａ，３１ｂは、上記送気送水ノズル６０の噴出口６０ａの噴射軌道上に所定の間隔を有して順に配置される。
【００５２】
そして、この送気送水ノズル６０に対応した円柱部材１５ａの孔部の基端側には、管部材６２の先端部分が挿嵌され、この管部材６２の基端部分には、送気送水管路６１が接続されている。これら管部材６２と送気送水管路６１とは、糸巻きにより接続固定されている。
【００５３】
この送気送水管路６１は、例えば図４に示すように、その基端部分が分岐管５０に接続されており、分岐管５０の分岐端部が送気管路６１ａ及び送水管路６１ｂの先端部分にそれぞれ接続されている。これにより、送気送水管路６１は、送気管路６１ａ及び送水管路６１ｂと連通する。そして、これら管路６１，６１ａ，６１ｂと分岐管５０とは、糸巻きにより接続固定されて、それぞれの接続部分及び分岐管５０全体の周囲に例えば接着剤などが塗布され、各接続部分が気密（水密）保持されている。
【００５４】
また、上記先端部１５の円柱部材１５ａに形成される６つの孔部のうち、２つには、先端側から照明レンズ２５ａ（２５ｂ）を含む二つの照明レンズユニット２３（２３）がそれぞれ挿嵌され、その基端部分に上記ライトガイド２１の先端部分がそれぞれ挿嵌されている。このライトガイド２１は、先端部分に円筒部材２１ａが被せられ、複数のファイバ繊維を束ねている図示しない外皮により被覆されている。そして、円筒部材２１ａの基端部分は、先端部分が糸巻き固定されている図示しないチューブに接続固定され、上記外皮（図示せず）に被覆されたライトガイド２１が上記チューブ（図示せず）内に挿通されている。
【００５５】
上記通常光撮像ユニット３１Ａは、レンズユニット３２と、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像素子３３と、回路基板３４とを有している。このうちレンズユニット３２は、第１〜第４レンズ群３２Ａ〜３２Ｄと、第１〜第４レンズ枠３２ａ〜３２ｄとを有して構成されている。ここで、上記観察レンズ３１ａを含む４つの対物レンズからなる第１レンズ群３２Ａは、第１レンズ枠３２ａに保持されており、１つの対物レンズからなる第２レンズ３２Ｂは、第２レンズ枠３２ｂに保持され、２つの対物レンズからなる第３レンズ群３２Ｃが第３レンズ枠３２ｃに保持される。そして、３つの対物レンズからなる第４レンズ群３２Ｄは、第４レンズ枠３２ｄに保持されている。
【００５６】
また、上記第２レンズ３２Ｂを保持する第２レンズ枠３２ｂは、ズーミングのため撮影光軸方向に対して進退可能な移動枠構造を有する。そして、この第２レンズ枠３２ｂは、操作部１２に設けられる図示しないズーミング用の操作ボタンがユーザーにより操作されると、上記通常光撮像ユニット３１Ａに設けられる図示しない例えばモータなどの駆動手段により、撮影光軸方向に進退移動される。この第２レンズ枠３２ｂを撮影光軸方向に対する進退移動を行う駆動手段は、上記プロセッサ４からの駆動／停止信号が図示しない信号線を介して供給される。
【００５７】
上記撮像素子３３は、第４レンズ枠３２ｄの最基端にある対物レンズの基端側に並設されるカバーレンズ３３ａが受光面側に設けられ（図３参照）、回路基板３４に光学像に対応する電気信号を出力する。この回路基板３４は、電気部品及び配線パターンを有し、撮像素子３３からの光学像を電気的な画像信号に光電変換を行い、その画像信号を信号ケーブル３８ａに出力する。  
なお、この回路基板３４は、信号ケーブル３８ａの複数の信号線が半田付け等の手段によって接続されている。
【００５８】
ここで、上記カバーレンズ３３ａ、撮像素子３３、回路基板３４及び信号ケーブル３８ａの先端部分は、それぞれの外周部が一体的に絶縁封止樹脂などにより覆われ、補強用円環部３５ａ及び絶縁チューブ３５ｂにより被覆されている。そして、信号ケーブル３８ａは、通常光撮像ユニット３１Ａの撮像素子３３及び回路基板３４にて取得した画像信号を図１に示したコネクタ１４のリレー基板４２及び信号ケーブル４３を介してプロセッサ４の信号処理回路４６に伝送する。
【００５９】
また、上記蛍光撮像ユニット３１Ｂは、上述した通常光撮像ユニット３１Ａと同様に、レンズユニット３６と、ＣＣＤ、ＣＭＯＳなどの撮像素子３８と、回路基板３９とを有している。
【００６０】
上記レンズユニット３６は、第１及び第２レンズ群３６Ａ，３６Ｂと、第１及び第２レンズ枠３６ａ，３６ｂとを有して構成されている。第１レンズ郡３６Ａは、例えば観察レンズ３１ｂを含む７つの対物レンズで構成され、第１レンズ枠３６ａに保持される。そして、第２レンズ群３６Ｂは、第２レンズ枠３６ｂに保持されている。
【００６１】
また、撮像素子３８は、第２レンズ枠３６ｂの最基端にある対物レンズの基端側に並設されるカバーレンズ４０が受光面側に設けられ、回路基板３９に光学像の電気信号を出力する。この回路基板３９は、通常光撮像ユニット３１Ａの回路基板３４と同様に電気部品及び配線パターンを有し、信号ケーブル３８ｂの複数の信号線が半田付け等の手段によって接続されており、撮像素子３８からの光学像を電気的な画像信号に光電変換を行い、その画像信号を信号ケーブル３８ｂに出力する。信号ケーブル３８ｂは、蛍光撮像ユニット３１Ｂの撮像素子３８及び回路基板３９にて取得した画像信号を図１に示したコネクタ１４のリレー基板４２及び信号ケーブル４３を介してプロセッサ４の信号処理回路４６に伝送する。
【００６２】
上記カバーレンズ４０、撮像素子３８、回路基板３９及び信号ケーブル３８ｂの先端部分は、それぞれの外周部が一体的に絶縁封止樹脂などにより覆われ、補強用円環部３７ａ及び絶縁チューブ３７ｂにより被覆されている。
【００６３】
そして、上記通常光撮像ユニット３１Ａ及び蛍光撮像ユニット３１Ｂは、先端部１５の円柱部材１５ａに設けられた所定の孔部にそれぞれ挿嵌されて、ねじなどの固定部材と共に接着剤などにより強固に固定されている。
【００６４】
上記通常光撮像ユニット３１Ａが先端に有している観察レンズ３１ａは、そのレンズ径（外径である直径）が蛍光撮像ユニット３１Ｂの先端に配置されている観察レンズ３１ｂのレンズ径よりも大きい径を有している。そして、これら通常及び蛍光撮像ユニット３１Ａ，３１Ｂは、２つの撮像素子３３，３８のそれぞれの受光面が挿入部１１の挿入軸に対して直交し、２つの撮像素子３３，３８の水平転送方向及び垂直転送方向がそれぞれ一致するように先端部１５内での設置方向が決められている。
【００６５】
また、通常光及び蛍光撮像ユニット３１Ａ，３１Ｂによって撮影された被写体像は、モニタ５（図１参照）に表示されるが、このモニタ５の上下方向が各撮像素子３３，３８のＣＣＤ素子又はＣＭＯＳ素子の垂直転送方向と一致し、左右方向が各撮像素子３３，３８のＣＣＤ素子又はＣＭＯＳ素子の水平転送方向に一致されている。言い換えると、通常及び蛍光撮像ユニット３１Ａ，３１Ｂにより撮影された内視鏡画像の上下左右方向は、モニタ５の上下左右方向と一致されている。
【００６６】
このモニタ５に表示される内視鏡画像の上下左右方向に対応するように、挿入部１１の湾曲部１６の上下左右方向が決定される。つまり、湾曲部１６内に挿通する上記４つの湾曲操作ワイヤが、上述したように、操作部１２に設けられる上記湾曲操作ノブの所定の操作によって牽引弛緩され、湾曲部１６は、モニタ５に表示される画像の上下左右方向に対応する上下左右の４方向へ湾曲自在となっている。
【００６７】
すなわち、通常光での観察と蛍光の観察が切替えられても、モニタ５に表示される内視鏡画像が常に湾曲部１６の湾曲操作方向の上下左右方向が等しくなるように各撮像ユニット３１Ａ，３１Ｂは、それぞれの撮像素子３３，３８の水平転送方向及び垂直転送方向がそれぞれ一致するように先端部１５内での設置方向が決められている。これにより、ユーザーは、内視鏡画像を通常光での観察画像と蛍光の観察画像に切替えた際のモニタ５に表示される内視鏡画像の上下左右方向の違和感を受けることなく湾曲部１６の上下左右方向の湾曲操作を行える。
【００６８】
ここで、上記内視鏡２は、通常光観察のときに、撮影のための光量が多い方が良いことにより、通常光撮像ユニット３１Ａを、先端部１５の先端面の略中央付近に配設して、蛍光撮像ユニット３１Ｂへ撮像のため入射する光を導く観察レンズ３１ｂのレンズ径（外径である直径）よりも大きいレンズ径（外径である直径）を有する観察レンズ３１ａから撮像のための光が取り込まれるようになっている。そして、通常光撮像ユニット３１Ａは、拡大機能である、テレ／ズーム時の収差を抑えるため、複数のレンズ群３２Ａ〜３２Ｄを設ける必要があり、その結果において、光線高が高くなることからレンズ径（外径である直径）が大きくなっている。
【００６９】
なお、上記内視鏡２とは異なり、通常光観察を行う撮像ユニットに拡大機能を有していない内視鏡も存在する。このような内視鏡においては、最もレンズ径（外径である直径）が大きい観察レンズが特殊光観察を行う撮像ユニットに対応することもありうる。
【００７０】
ここで、上記内視鏡システム１の作用について説明する。
【００７１】
使用に供する場合、ユーザーは、先ず、内視鏡２のコネクタ１４を光源装置３に接続し、さらに、このコネクタ１４にスコープケーブル４４の一端を接続し、スコープケーブル４４の他端をプロセッサ４に接続する。また、送気管路６１ａ及び送水管路６１ｂを送気送水装置６に接続する。次に、ユーザーは、光源装置３などの電源スイッチをＯＮにして、それぞれ動作状態に設定する。ここで、プロセッサ４と光源装置３の制御回路４７，５８は、制御信号等を送受信できる状態になる。
【００７２】
また、起動状態では、リレー基板４２は、通常光撮像ユニット３１Ａ側が選択されるように設定されている。すると、制御回路４７は、光源装置３の制御回路５８に制御信号を送り、通常光観察のための照明光の供給状態に設定する。この際、制御回路４７は、ＣＣＤドライブ回路４５ａを駆動させるように制御すると共に、信号処理回路４６の動作状態を通常光観察モードに設定する。
【００７３】
ここで、ユーザーは、内視鏡２の挿入部１１を体腔内に挿入し、診断対象の患部等を観察できるように設定する。この際、光源装置３は、上述のように通常光観察のための照明光の供給状態を保持する。この状態において、回転フィルタ５３は、ＲＧＢフィルタが照明光路中に配置された状態でモータ５５により回転駆動される。これにより、ライトガイド２１には、ＲＧＢの照明光が面順次で供給される。これに同期して、ＣＣＤドライブ回路４５ａは、ＣＣＤドライブ信号を出力し、照明レンズ２５ａ，２５ｂを経て患者の体腔内の患部等を照明する。
【００７４】
照明された患部等の被写体は、通常光撮像ユニット３１Ａのレンズユニット３２を通って、撮像素子３３の受光面に結像され、光電変換される。そして、この撮像素子３３は、ドライブ信号の印加により、光電変換した信号を出力する。この信号は、信号ケーブル３８ａ及びリレー基板４２により選択されている共通の信号ケーブル４３を介して信号処理回路４６に入力される。
【００７５】
この信号処理回路４６内に入力された信号は、内部でＡ／Ｄ変換がされた後、図示しないＲ，Ｇ，Ｂ用メモリに一時格納される。その後、Ｒ，Ｇ，Ｂ用メモリ（図示せず）に格納された信号は、同時に読み出されて同時化されたＲ，Ｇ，Ｂ信号となり、さらにＤ／Ａ変換されてアナログのＲ，Ｇ，Ｂ信号となり、モニタ５においてカラー画像として表示される。
【００７６】
そして、ユーザーは、患部を通常光観察の他に、蛍光観察によって、より詳しく調べたいと望む場合には、制御スイッチ４８ａをＯＮする。すると、制御回路４７をこの切換指示信号を受けて、リレー基板４２の切り換え制御を行うと共に、制御回路５８を介して光源装置３を蛍光観察のための励起光の供給状態に設定する。同時に、制御回路４７は、ドライブ回路４５ｂを動作状態に制御すると共に、信号処理回路４６を蛍光観察の処理モードに設定する。
【００７７】
この場合には、光源装置３内の制御回路５８は、ギヤ付きモータ５７により、モータ５５と共に、回転フィルタ５３を照明光路と直交する方向に移動させて、照明光路中に励起光フィルタが配置される設定する。
【００７８】
この状態では、ランプ５１からの光は、励起光フィルタにより例えば４００〜４５０ｎｍ付近の波長帯域の光が透過してライトガイド２１に供給されるようになる。そして、この励起光は、照明レンズ２５ａ，２５ｂを経て体腔内の患部等に照射される。
【００７９】
この励起光が照射された患部等は、癌組織であるとその励起光を吸収して、正常な組織の場合よりも強い蛍光を発するようになる。その蛍光を発する部位の光は、蛍光撮像ユニット３１Ｂのレンズユニット３６を通って、撮像素子３８の受光面に結像され、光電変換される。
【００８０】
ここで、撮像素子３８は、ドライブ回路４５ｂからのドライブ信号の印加により、光電変換した信号を出力する。この場合、撮像素子３８の内部で信号増幅されて撮像素子３８から出力される。この信号は、信号ケーブル３８ｂ及びリレー基板４２により選択されている共通の信号ケーブル４３を経て信号処理回路４６に入力される。
【００８１】
この信号処理回路４６内に入力された信号は、内部でＡ／Ｄ変換された後、上記Ｒ，Ｇ，Ｂ用メモリ（図示せず）に、例えば同時に格納される。このＲ，Ｇ，Ｂ用メモリ（図示せず）に格納された信号は、同時に読み出されて同時化されたＲ，Ｇ，Ｂ信号となり、さらにＤ／Ａ変換されてアナログのＲ，Ｇ，Ｂ信号となり、モニタ５にモノクロで表示される。
【００８２】
また、上記信号処理回路４６内に入力された信号のレベルを複数の閾値と比較し、その比較結果に応じて、割り当てる色を変えることにより、擬似カラー化して表示するようにしてもよい。
【００８３】
この通常及び蛍光観察状態において、観察レンズ３１ａ，３１ｂの洗浄を行う場合には、上記操作部１２の送気送水ボタン６３を操作する。すると、送気送水装置６が駆動され、送気送水装置６は、流体である洗浄液又は空気等の気液を、送気送水管６１を介して選択的に送気送水ノズル６０に供給し、該送気送水ノズル６０から観察レンズ３１ａ，３１ｂに向けて噴射させ吹き付け体液、付着物等を除去及び洗浄する。この際、上記吸引装置７が駆動され、噴射された気液及び観察レンズ３１ａ，３１ｂの残水が、開口部２６から処置具・吸引用チャンネル１９を通して上記吸引装置７に排出される。
【００８４】
このように、上記内視鏡システム１は、通常光観察ができると共に、蛍光観察もできるので、通常光観察のみの内視鏡に比べて、より診断し易い内視鏡を実現できる。また、通常及び蛍光撮像ユニット３１Ａ，３１Ｂを設けているので、第１の観察画像としての通常光観察画像と、第２の観察画像としての特殊光観察画像、すなわち、蛍光観察画像とを得ることができる。
【００８５】
ここで、特に蛍光撮像を行う場合、通常観察の場合に比べて微弱な光を撮像する必要になり、そのＳ／Ｎが高いものが望まれ、通常の撮像素子を兼用したのでは、Ｓ／Ｎが低い画像となり易いが、蛍光撮像に適した専用の撮像素子３８を採用しているので、Ｓ／Ｎの良い蛍光画像を得ることができる。
【００８６】
また、切換用のリレー基板４２を設けて、２つの撮像ユニット３１Ａ，３１Ｂにおける一方の撮像ユニットのみがプロセッサ４と接続される構成とすることにより、常時２つの各撮像ユニット３１Ａ，３１Ｂを駆動及び信号処理しなければならない場合に比較してコンパクトな構成を実現することが可能となる。
【００８７】
さらに、これによれば、清浄構成として、１つの送気送水ノズル６０により、両方の観察レンズ３１ａ，３１ｂの外表面に流体を吹き付けて清浄な状態に設定して、良好な観察視野を確保できるようにしているので、挿入部１１を細径化でき、挿入の際に患者に与える苦痛を軽減できると共に、挿入可能となった適用範囲を拡大できる。
【００８８】
また、上記内視鏡２は、通常光観察用の撮像ユニットのみを備えた既存の内視鏡と同様の外観構造に構成することにより、スコープケーブル４４を介して通常光観察用の撮像ユニットのみを備えた既存の内視鏡に対する駆動及び信号処理を行う図示しないプロセッサに接続可能に構成することで、既存の内視鏡と同様に通常光観察用の内視鏡としても使用することもできる。つまり、上記内視鏡２は、通常光観察用の撮像ユニットのみを備えた既存の内視鏡と同様の互換性を保って、既存のプロセッサに接続して使用することもできる。
【００８９】
このように、上記内視鏡は、先端部１５の先端カバー２４の先端表面を、中心軸Ｏと交差する軸Ｙ方向の一方方向に偏倚させて径大に形成して、この偏倚する方向に送気送水ノズル６０、二つの観察レンズ３１ａ，３１ｂを順に直線状に配し、一つの送気送水ノズル６０で観察レンズ３１ａ，３１ｂの双方の洗浄を行うように構成した。
【００９０】
これによれば、先端カバー２４の先端表面のみを偏倚して径大に形成し、先端部の基部径を体腔への挿入に適する円形状に形成することにより、二つの観察レンズ３１ａ，３１ｂを用いた多様な観察形態を実現したうえで、体腔への簡便にして容易な挿入が可能なまでの細径化を実現することが可能となる。
【００９１】
また、上記先端カバー２４の先端表面を、中心軸Ｏに対して交差する軸Ｙ方向の一方方向に偏倚させて径大に形成していることにより、上述したように細径化の要求を満足したうえで、図５に示すようにその周縁側に配置される蛍光観察に供する観察レンズ３１ｂまでの距離Ｌを、他の照明レンズ２５ａ，２５ｂの周縁までの距離Ｌ1、Ｌ2、送気送水ノズルＬ3、処置具・吸引用チャンネル１９と周縁との距離Ｌ4までの間隔より大きくとることが可能となる。この結果、損傷しやすく丁寧な扱いの要求される二つの観察レンズ３１ａ，３１ｂに対して、送気送水ノズル６０を直線状に配置しても、先端カバー２４が厚肉化でき、周縁側に配置される観察レンズ３１ｂの効果的な保護を実現することが可能となる。
【００９２】
なお、上記先端部１５の先端カバー２４には、観察レンズ３１ａ，３１ｂが設けられる第１面であるレンズ保持面１０１に対して第２面として一段低い低位面１００が形成されている。そのため、送気送水ノズル６０から噴射された流体が観察レンズ３１ａ，３１ｂ、又はレンズ保持面１０１から低位面１００に流れ、そのまま先端カバー２４の縁部から流れでるため、水切れ性が良好となる。
【００９３】
また、上記先端カバー２４の一部が径大になることによって、先端カバー２４の縁部と観察レンズ３１ｂの距離が離れ、例えば腸等の体腔内挿入時のひだ等により、視野が妨げられることが少なくなる。つまり、良好な視野を確保できる。
【００９４】
なお、上記実施の形態では、特殊光観察として、蛍光観察を配するように構成した場合について説明したが、これに限ることなく、細胞や腺構造をはじめとする組織学的観察レベルの拡大倍率（望ましくは、１００倍レベル以上の拡大率）を有する拡大光学系による拡大観察を行うように構成してもよい。
【００９５】
また、上記実施の形態では、通常光観察と蛍光観察の異なる観察光学系を構成した場合について説明したが、これに限ることなく、その他、同一の観察光学系を複数配置するように構成することも可能である。
【００９６】
さらに、上記実施の形態では、前方送水機能を備えていない内視鏡構造について説明したが、この構造に限ることなく、前方送水機能を備える構成においても適用可能で、同様の効果が期待される。
【００９７】
また、この発明は、上記実施の形態に限ることなく、その他、例えば図６乃至図８に示すように構成することも可能で、この図６乃至図８に示す各実施の形態においては、いずれも上記実施の形態と略同様の効果が期待される。但し、これら図６乃至図８の説明においては、上記図１乃至図４と同一部分について、同一符号を付して、その詳細な説明を省略する。
【００９８】
図６の実施の形態では、上記実施の形態と同様に先端カバー２４の先端表面が先端部１５の中心軸Ｏと交差する軸Ｙ方向（先端表面における最も離間された周縁部位と上記中心軸Ｏとを結ぶ軸上）の一方方向に偏倚されて径大に形成され、その軸Ｙ上から略平行に移動させた軸上に上記送気送水ノズル６０が、その噴出口６０ａを同軸方向に向けて配置される。そして、この送気送水ノズル６０の噴出口６０ａの噴射軌道上には、上記観察レンズ３１ａ、観察レンズ３１ｂが順に所定の間隔を有して略直線状に配置するように構成される。言い換えると、この実施の形態では、送気送水ノズル６０、観察レンズ３１ａ、観察レンズ３１ｂを最も離間された周縁より若干ずれた位置に略直線状に配置するように構成したものである。
【００９９】
図７の実施の形態では、同様に先端カバー２４の先端表面が先端部１５の中心軸Ｏと交差する軸方向の一方方向に偏倚されて径大に形成され、その先端表面の周縁における最も離間された周縁部位と異なる部位と、上記中心軸Ｏとを結ぶ軸Ｙ1上から略平行に移動させた軸上（言い換えると、中心軸Ｏから最も離間された周縁部位に対応する位置）に上記送気送水ノズル６０が、その噴出口６０ａを同軸方向に向けて配置される。そして、この送気送水ノズル６０の噴出口６０ａの噴射軌道上には、上記観察レンズ３１ａ、観察レンズ３１ｂが順に所定の間隔を有して略直線状に配置0するように構成される。
【０１００】
図８の実施の形態では、上記図７と同様に先端カバー２４の先端表面を先端部１５の中心軸と交差する軸Ｙ方向の一方方向に偏倚させて径大に形成して、その偏倚する方向と異なる周縁との間を小径に偏倚させて形成する。そして、この先端カバー２４には、その先端表面における上記中心軸Ｏに交差される軸Ｙ1方向に対して略平行に移動させた軸上に上記送気送水ノズル６０が、その噴出口６０ａを同軸方向に向けて配置される。この送気送水ノズル６０の噴出口６０ａの噴射軌道上には、同様に上記観察レンズ３１ａ、観察レンズ３１ｂが順に所定の間隔を有して略直線状に配置するように構成される。この図８の実施の形態においては、さらに細径化の促進が図れて、挿入操作性の向上を図ることが可能となる。
【０１０１】
なお、上記先端カバー２４の先端表面形状としては、その他、例えば先端表面を中心軸Ｏに交差する軸Ｙ方向であって、その中心軸Ｏを挟む両方向に偏倚させて径大とした、例えば楕円形状に形成し、この偏倚させた軸方向に対応して上記観察レンズ３１ａ，３１ｂと送気送水ノズル６０を略直線状に配置するように構成してもよい。この両方向に偏倚させた形状構成の場合においても、同様に中心軸Ｏを通る軸上に対して、例えば略平行に移動させた軸、あるいは中心軸Ｏを通らない軸上、中心軸Ｏを通り軸Ｙに対して傾斜した軸上等に上記観察レンズ３１ａ，３１ｂと送気送水ノズル６０を略直線状に配置するように構成してもよい。
【０１０２】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【０１０３】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【０１０４】
また、この発明は、上記実施の形態によれば、その他、次のような構成を得ることもできる。
【０１０５】
（付記１）
体腔内に挿入される、先端表面が中心軸に対して異なる距離寸法を有する第１及び第２の周縁が連設された先端部が設けられた挿入部と、
前記挿入部の先端部の先端表面に前記第１の周縁から第２の周縁に向けて流体を噴射する噴出口が配置されたノズル手段と、
前記挿入部の先端表面の前記ノズル手段の噴出口の噴射軌道上に並設して配置された第１及び第２の観察光学系と、
を具備することを特徴とする内視鏡。
【０１０６】
(付記２)
体腔内に挿入される、先端表面が中心軸に対して異なる距離寸法を有する第１及び第２の周縁が連設された先端部が設けられた挿入部と、
前記挿入部の先端部の先端表面に前記第１の周縁から第２の周縁を結ぶ軸に対応して流体を噴射する噴出口が配置されたノズル手段と、
前記挿入部の先端表面の前記ノズル手段の噴出口の噴射軌道上に並設して配置された第１及び第２の観察光学系と、
を具備することを特徴とする内視鏡。
【０１０７】
(付記３)
前記第１及び第２の観察レンズは、倍率が異なることを特徴とする付記１又は２記載の内視鏡。
【０１０８】
(付記４)
前記挿入部の先端部の先端表面は略楕円形状に形成されることを特徴とする付記１乃至３のいずれか記載の内視鏡。
【図面の簡単な説明】
【０１０９】
【図１】この発明の一実施の形態に係る内視鏡を用いた内視鏡システムの概略構成を説明するために示した構成図である。
【図２】図１の内視鏡の先端部の先端表面を正面から見た状態を示した平面図である。
【図３】図２のＡ―Ａを断面して示した断面図である。
【図４】図１の送気送水管路の分岐部分を示す断面図である。
【図５】図１の先端部の先端表面の特徴点を説明するために示した平面図である。
【図６】この発明の他の実施の形態に係る内視鏡の要部を取出して示した平面図である。
【図７】この発明の他の実施の形態に係る内視鏡の要部を取出して示した平面図である。
【図８】この発明の他の実施の形態に係る内視鏡の要部を取出して示した平面図である。
【符号の説明】
【０１１０】
１…内視鏡システム、２…内視鏡、３…光源装置、４…プロセッサ、５…モニタ、６…送気送水装置、７…吸引装置、１０…外皮、１０ａ…接着部、１１…挿入部、１２…操作部、１３…ユニバーサルケーブル、１４…コネクタ、１５…先端部、１５ａ…円柱部材、１５ｂ…補強環、１６…湾曲部、１７…可撓管部、１８ａ…固定部、１８…固定環、１９…処置具・吸引用チャンネル、１９１…処置具挿入口、１９ａ…管部材、１９ｂ…処置具管路、２１…ライトガイド、２１ａ…円筒部材、２２…基端部、２３ａ…保持枠、２３…照明レンズユニット、２４…先端カバー、２５ａ，２５ｂ…照明レンズ、２６…開口部、３０…湾曲ブレード、３１ａ，３１ｂ…観察レンズ、３１Ａ…通常光観察用撮像ユニット、３１Ｂ…蛍光観察用撮像ユニット、３２Ｂ…対物レンズ、３２…レンズユニット、３２ａ〜３２ｄ…レンズ枠、３２Ａ〜３２Ｄ…レンズ群、３３ａ…カバーレンズ、３３，３８…撮像素子、３４…回路基板、３５ｂ…絶縁チューブ、３５ａ…補強用円環部、４０…カバーレンズ、３６…レンズユニット、３６ａ，３６ｂ…レンズ枠、３６Ａ，３６Ｂ…レンズ群、３６…レンズユニット、３８ａ…カバーレンズ、３８ａ，３８ｂ…信号ケーブル、３８…撮像素子、３９…回路基板、４２…リレー基板、４３…信号ケーブル、４４…スコープケーブル、４５ａ，４５ｂ…ドライブ回路、４６…信号処理回路、４７，５８…制御回路、４８ａ，４８ｂ…制御スイッチ、４９ａ，４９ｂ…信号線、４９ｃ…切換信号線、４９ｄ…制御信号線、５０…分岐管、５１…ランプ、５２…コリメータレンズ、５３…回転フィルタ、５４…集光レンズ、５５，５７…モータ、５６…ラック、５８…制御回路、６０ａ…噴出口、６０…送気送水ノズル、６１ａ…送気管路、６１…送気送水管路、６１ｂ…送水管路、６２…管部材、６３…送気送水ボタン、１００…低位面、１０１…レンズ保持面。
【図１】
2007209395.tif 000003
【図２】
2007209395.tif 000004
【図３】
2007209395.tif 000005
【図４】
2007209395.tif 000006
【図５】
2007209395.tif 000007
【図６】
2007209395.tif 000008
【図７】
2007209395.tif 000009
【図８】
2007209395.tif 000010